(57)【要約】【課題】球受皿の球通口付近も簡単に掃除でき球詰まりの起きる危険性をなくすことができる遊技機を提供することを目的とする。【解決手段】開閉部材６の前面に打球発射部２７ａへ供給される遊技球を貯留する球受皿５が装着され、球受皿５はその球皿部３１の底壁３１ａが開閉部材６に沿って一方へ緩やかに下傾し、開閉部材６に球皿部３１の下流端に位置して該球皿部３１の遊技球を打球発射部２７ａへ供給するための球通口１９が開設され、球皿部３１の底壁３１ａの上面に遊技球の直径とほぼ同じ溝幅寸法を有しかつ上流側から球通口１９に至るまで漸次深くなる球誘導溝３７を凹設し、球誘導溝３７はその流下端が球通口１９に対し直交する方向から接続され、開閉部材６の前面には前方へ突出して球通口１９の前面上方を覆う庇板部３８を設けた構成からなる。【選択図】図５
2008011986.tif 000002
【特許請求の範囲】
【請求項１】
開閉部材の前面に打球発射部へ供給される遊技球を貯留する球受皿が装着され、前記開閉部材に前記球受皿の球皿部の下流端に位置して該球皿部の遊技球を前記打球発射部へ供給するための球通口が開設された遊技機であって、
前記球皿部の底壁上面に一個の遊技球が流下し得る程度の溝幅寸法を有する球誘導溝を凹設し、前記球誘導溝はその流下端が前記球通口に対し直交する方向から接続され、前記開閉部材の前面には前方へ突出して前記球通口の前面上方を覆う庇板部を設けたことを特徴とする遊技機。
【請求項２】
前記庇板部の下面は球通口側から前方に向かって上方へ窪む凹弧面に成形されている請求項１記載の遊技機。
【発明の詳細な説明】
【技術分野】
【０００１】
本発明は、透明板保持枠、前板等の開閉部材の前面に打球発射部へ供給するための遊技球を貯留する球受皿が装着される遊技機に関するものである。
【背景技術】
【０００２】
従来、例えば遊技機の一種であるパチンコ遊技機は、遊技盤が配設される遊技機本体の前面に、該遊技盤の前面を覆う開閉部材としての透明板保持枠または遊技盤の下部前面を覆う同じく開閉部材としての前板が開閉自在に装着されている。該前板の前面には打球発射部へ供給される遊技球を貯留する球受皿が装着される。該球受皿は、その球皿部の底壁上面が前記開閉部材に沿って一方へ緩やかに下傾しており、また、球皿部の下流側に位置して前板に球皿部の遊技球を打球発射部へ供給するための球通口が開設されている。そして、球通口に向かって前板の前面には、球皿部の内周壁面を内側へ膨出させて前板との間の前後幅を狭め、その部位に球噛みを起こさないように遊技球を一列に整流させて球通口まで導く整流通路が設けられる。この整流通路の上面は（この場合、補助受皿により）塞がれている（例えば、特許文献１参照。）。
【０００３】
【特許文献１】特開平６−６３２３５号公報（第２−３頁、図２）
【発明の開示】
【発明が解決しようとする課題】
【０００４】
このように、前記特許文献１のパチンコ遊技機にあっては、球通口に向かって前板の前面に成形される整流通路の前後幅が狭められしかもその上面が塞がれているため、例えばパチンコホールにて営業終了後に球受皿、特に前記球通口付近を掃除しようとしても、前記整流通路が狭くしかも横向きとなる関係から、その前側から球通口付近の掃除はし難く比較的ゴミが残ってしまい、これが原因で球詰まりを起こす危険性があるという課題があった。
【０００５】
そこで、本発明は上記課題を解決すべくなされたもので、球受皿の整流通路の奥端部にある球通口付近も、簡単に掃除でき球詰まりの起こる危険性をなくすことができる遊技機を提供することを目的とするものである。
【課題を解決するための手段】
【０００６】
かかる目的を達成するため本発明の遊技機は、開閉部材の前面に打球発射部へ供給される遊技球を貯留する球受皿が装着され、前記開閉部材に前記球受皿の球皿部の下流端に位置して該球皿部の遊技球を前記打球発射部へ供給するための球通口が開設された遊技機であって、前記球皿部の底壁上面に一個の遊技球が流下し得る程度の溝幅寸法を有する球誘導溝を凹設し、前記球誘導溝はその流下端が前記球通口に対し直交する方向から接続され、前記開閉部材の前面には前方へ突出して前記球通口の前面上方を覆う庇板部を設けた構成からなる。
【０００７】
この際、前記庇板部の下面は、球通口側から前方に向かって上方へ窪む凹弧面に成形されていることが好ましい。
【発明の効果】
【０００８】
本発明に係る遊技機は、球皿部上面に流下端が球通口に対し直交する方向から接続される球誘導溝を凹設し、開閉部材の前面には前方へ突出して前記球通口の前面上方を覆う庇板部を設けるようにしたので、球通口が正面を向いて開放されることになり、前側から簡単に掃除が行え掃除がし易くなる。よって、これにより球通口付近で球詰まりが起こる危険性をなくすことができる。また、球通口の上方に庇板部を設けることにより球通口に一度に多くの遊技球が流入しようとしても、該庇板部が遊技球を整流する機能を果たし順に球通口に導くようにするので、これによっても球詰まりが起こる危険性をなくすことができるという効果がある。
【０００９】
また、庇板部の下面を球通口側から前方に向かって上方へ窪む凹弧面に成形するようにしているので、遊技球が球通口に入る場合、２段に重なる遊技球の内の上段に位置する遊技球は前記凹弧面により強制的に押し下げられることになり、多段に積み重なった遊技球も球通口に流入し易い。
【発明を実施するための最良の形態】
【００１０】
以下、本発明に係る遊技機の実施の形態を図面に基づき説明する。なお、遊技機には、例えば、パチンコ遊技機、アレンジボール機、雀球遊技機、パロット（登録商標）機等の遊技機に適用できるが、本発明にあっては、その一例としてパチンコ遊技機について説明する。図１は本発明に係るパチンコ遊技機の正面図、図２は透明板保持枠及び前板を開いた状態のパチンコ遊技機の斜視図である。
【００１１】
パチンコ遊技機Ｐは、外側に縦長長方形状の外枠１を有し、その前面に内枠２がその一側を支点として開閉自在に装着され、該内枠２に遊技盤３が設置される。また、該内枠２の前面には、その上部に前記遊技盤３の前面を覆う透明板保持枠４が開閉自在に装着され、その下方に打球発射部（図示せず。）へ供給される打球としての遊技球を貯留する上部の球受皿５が設けられた開閉部材としての前板６が開閉自在に装着される。
【００１２】
前記前板６の前面であって前記上部の球受皿５の下方に、該上部の球受皿５から溢れる遊技球を貯留する下部の球受皿７が装着される。これら上・下の球受皿５，７は図３に示すようにカバー部材８により上下で連続して一体に成形されており、その前面に下部の球受皿７に手を差し込める開口９が開設される。該開口９の下方のカバー部材８の前面に、下部の球受皿７に溜まった遊技球を正面から見て左右方向へ摺動して球抜きするための球抜きレバー１０が設けられる。前板６における下部の球受皿７の一側には灰皿１１が装着され、他側は凹弧状に切り欠かれると共にその切り欠かれた凹弧状部６ａに内枠２の下隅角部に設けられ前方ヘ突出する突出隅部１２が合致する。該突出隅部１２の前面には、遊技球である打球の発射力を調整するための打球力調整ハンドル１３が装着されている。
【００１３】
図１、図２に示すように前記遊技盤３の前面に、渦巻状に敷設された内側・外側ガイドレール１４ａ，１４ｂに囲われて遊技部３ａが成形される。そして、該遊技部３ａに、その中央に位置して数字、図柄等の情報を変動表示する可変表示装置１５、遊技球の入賞によって前記情報を変動させる始動入賞口１６が装着される。また、その下方に、前記可変表示装置１５の情報が特定の表示（例えば、「７７７」）に揃ったとき、一定の条件の下で一度に多くの賞球としての遊技球が得られる入賞装置１７が装着されている。
【００１４】
前記前板６には、その一方に内枠２の裏側に装着される球払出装置（図示せず。）から払い出された遊技球を球受皿５に払い出すための球払出口１８が開設され、他方に球皿部３１の遊技球を後記する打球発射部２７ａへ供給するための球通口１９が開設される。２０は同じく前板６に開設され、上部の球受皿５から溢れる遊技球を下部の球受皿７に排出するための排出口である。そして、前板６の裏面に、球通口１９と連通し該球通口１９に流入した遊技球を打球発射部２７ａへ供給する打球供給装置２１が装着されている。該打球供給装置２１の裏面には、打球発射部２７ａに遊技球を供給する球供給口２２と上部の球受皿５の遊技球の球抜きをするための連通口２３が開設される。この連通口２３は排出口２０を介して下部の球受皿７に連通し、球抜きされた遊技球が下部の球受皿７に貯留されることになる。
【００１５】
一方、内枠２前面の下隅角部に金属製の支持板２４が固着される。該支持板２４は、上方へ突出する上板部２４ａと側方（内側）へ突出する側板部２４ｂとから正面Ｌ字状に成形され、その交差する角部に前記打球力調整ハンドル１３が取着される。また、上・側板部２４ａ，２４ｂの所定位置に係合孔２５，２５が開設され、これと対向して前記前板６の裏面に突設された係合片２６，２６がそれぞれ係合孔２５，２５に係合することにより、前板６が内枠２の前面に開閉自在に装着できるようになっている。
【００１６】
支持板２４の裏側に、発射レール２７とこれの打球発射部２７ａに供給される遊技球を打球するための打球杆２９を備えた打球発射装置２８とが設けられる。この打球杆２９は駆動源であるステッピングモータ（図示せず。）により駆動し、前記打球力調整ハンドル１３の回動動作と連動して往復回動するようになっている。しかも、前記打球供給装置２１も、打球杆２９と連係して球皿部３１から流入する遊技球を一個ずつ打球発射部２７ａへ供給する。
【００１７】
そこで、上部の球受皿５の球皿部３１に貯留された遊技球は、球通口１９を介して打球供給装置２１内に待機され、この状態で打球力調整ハンドル１３を握って回動させることにより打球杆２９が往復回動する。これに伴い、前記打球供給装置２１の球供給口２２から打球発射部２７ａへ遊技球が一個ずつ供給されると共にこれら遊技球が打球杆２９により打球されて遊技部３ａに打ち込まれる。なお、球受皿５に貯留される遊技球の球抜きをする場合は、該球受皿５の上面一側に設けられた球抜きボタン３０を押動する。これにより、図示は省略するが打球供給装置２１内の球抜き口が開放され、球受皿５の遊技球が打球供給装置２１内を通過し、その裏側の連通口２３、排出口２０を介して下部の球受皿７に貯留される。
【００１８】
前記上部の球受皿５における球皿部３１は、図４に示すように前側周縁を囲うように立壁３３が立設され、後縁は開放されている。また、その一側に前記立壁３３の上端縁を屈曲させてほぼ水平な棚板部３４が張設され、該棚板部３４に前記球抜きボタン３０が設けられる。そして、球皿部３１の底壁３１ａの上面は、球払出口１８側から球通口１９側まで緩やかに下傾している。
【００１９】
さらに球皿部３１を詳しく説明すると、図４、図５に示すように前記球皿部３１の底壁３１ａの上面に、前記球通口１９よりも上流側に位置して後端縁すなわち前板６の前面位置から上流側へ延びる仕切り壁３５が突設される。該仕切り壁３５は、下流側では遊技球が乗り越えられない程度の高さを有し、上流側に進むに従い漸次低く最終的にはその上端縁が前記底壁３１ａの上面に達する。また、球通口１９側では、仕切り壁３５がほぼ半円弧状に湾曲して設けられ、その先は上流に進むに従い前板６とほぼ平行となる。これにより、前記前板６と仕切り壁３５との間に、その底壁部３６ａの上面が上流側に向かって緩やかに下傾し前記底壁３１ａの上面と連なる球留り部３６が成形される。
【００２０】
一方、球皿部３１の下流側であって仕切り壁３５と前記棚板部３４との間には、球皿部３１の底壁３１ａの上面に仕切り壁３５の外側を囲うようにして球誘導溝３７が凹設される。該球誘導溝３７は、上面が開口すると共に一個の遊技球が流下し得る程度の溝幅寸法を有し、その下流端で球通口１９と連通する。また、該球誘導溝３７は、前記底壁３１ａの上面と連なる上流側から球通口１９に至るまで漸次深くなり、球通口１９の前側では、球誘導溝３７の深さが遊技球の直径の約２倍の寸法に設定される。しかも、球誘導溝３７の流下端は、球通口１９に対し直交している。
【００２１】
図８に示すように球通口１９の上方であって前板６の前面に、該球通口１９の前面上方を覆う庇板部３８が設けられる。該庇板部３８は前板６から前方へ突出すると共に球誘導溝３７とほぼ合致し、該球誘導溝３７の上面に位置する。該庇板部３８の上面３８ａは前側に向かって緩やかに下傾すると共に下面３８ｂは球通口１９側から前方へ向かって上方が窪む凹弧面に成形されている。また、庇板部３８の前端縁は断面が嘴状に尖っている。
【００２２】
前記球誘導溝３７の外側であって棚板部３４との間に、二条の第１段条部３９ａと第２段条部３９ｂとが設けられる。これら第１段条部３９ａと第２段条部３９ｂとはいずれもそれらの幅がほぼ遊技球の直径寸法と同じに設定され、それら上面が球皿部３１の上流側に向かって緩やかに下傾している。また、第１段条部３９ａよりその外側に配置される第２段条部３９ｂの方が一段高くなっており、いずれも球皿部３１の上流側の幅が狭くなり最終的に立壁３３の内周面に接することになる。第２段条部３９ｂの内端縁には、前板６の前面位置から途中まで該内端縁に沿って高さの低い突条４０が設けられる。
【００２３】
本発明に係るパチンコ遊技機は上記構成からなり、例えば上部の球受皿５に遊技球が貯留されると、これら遊技球の内、前記球留り部３６に入った遊技球は、底壁３１ａの上面のほぼ全体に遊技球がほぼ一杯ある状態ではその位置に滞留している。そして、底壁３１ａの上面の遊技球が少なくなってくると、図６乃至図８に示すようにそれに伴い少しずつ底壁３１ａの上面側へ転動して流下し球通口１９へ向かう。
【００２４】
一方、球皿部３１の下流側では、図８に示すように球誘導溝３７内に入る遊技球、第１段条部３９ａの上面に乗る遊技球、第２段条部３９ｂの上面に乗る遊技球とそれぞれ異なるが、球誘導溝３７内を流下する遊技球はそのまま流下端の球通口１９に順次流入する。また、同じく球誘導溝３７内を２段になって流下する遊技球の内の上段の遊技球は、球通口１９の前側で庇板部３８の下面３８ａにより下方へ強制的に押し下げられ、そのまま球通口１９に流入する。この際、その上段の遊技球の更に上にある遊技球は、庇板部３８により掬われてその上面に乗る。そして、下流側の遊技球が減ってくるに従い球誘導溝３７内に戻り、球通口１９に流入する。この際、球誘導溝３７が球通口１９に対し直交する方向から接続されるので、球誘導溝３７内を流下する遊技球も球通口１９に流入し易い。
【００２５】
第１段条部３９ａの上面に乗った遊技球は、球誘導溝３７内の遊技球が少なくなるに従い、第１段条部３９ａの上面に沿って球皿部３１の上流側へ戻りつつ該球誘導溝３７内に落下する。また、第２段条部３９ｂの上面に乗った遊技球は、周囲に遊技球があるときはそのまま滞留している。そして、遊技球が少なくなるに従いそれら上面に沿って球皿部３１の上流側へ戻り、最終的に第１段条部３９ａを介して球誘導溝３７内に落下し該球誘導溝３７内を流下する。
【００２６】
本発明にあっては、球皿部３１の底壁３１ａの上面に流下端が球通口１９に対し直交する方向から接続される球誘導溝３７を設け、開閉部材である前板６の前面には前方へ突出して球通口１９の前面上方を覆う庇板部３８を設けるようにしたので、球通口１９が正面を向いて開放されることになる。これにより、例えばパチンコホールで営業終了後に各パチンコ遊技機を掃除する場合、図９に示すように前側から球通口１９に掃除具Ｄの先が簡単に届き、球通口１９及びその付近がその前側から簡単に掃除でき非常に掃除がし易い。よって、掃除が綺麗に行えることからその部位にゴミ・埃が溜まり難く、球通口１９付近での球詰まりの起こる危険性をなくすことができる。
【００２７】
また、球通口１９の上方に庇板部３８を設けることにより球通口１９に一度に多くの遊技球が流入しようとしても、該庇板部１９が遊技球を整流する機能を果たし順に遊技球を球通口１９に導くようにするので、これによっても球詰まりが起こる危険性をなくすことができる。しかも、庇板部３８の下面３８ｂを球通口１９側から前方に向かって上方へ窪む凹弧面に成形するようにしているので、遊技球が球通口１９に入る場合、２段に重なる遊技球の内の上段に位置する遊技球は前記凹弧面により強制的に押し下げられることになり、多段に積み重なった遊技球も球通口１９に流入し易い。
【００２８】
更に本発明は、球皿部３１の底壁３１ａの上面に球通口１９よりも上流側に位置して前板６の前面から上流側へ延びる仕切り壁３５を突設し、前板６と仕切り壁３５との間に底壁部３６ａの上面が球皿部３１の上流側に向かって緩やかに下傾し球皿部３１の底壁３１ａの上面と連なる球留り部３６を成形し、遊技球を球通口１９へ球誘導溝３７を介しその前側から流入させる構成を採っている。よって、従来の如く整流通路を成形するため球皿部３１の内側壁を内側へ膨出させる必要がないことから、その分球皿部３１の上面が広く有効的に利用できる。しかも、球皿部３１に貯留される遊技球の内、前記球留り部３６に貯留される遊技球の球圧は球通口１９の近くにある遊技球には加わらないので、球通口１９の付近の遊技球への球圧が軽減され、これにより球皿部３１の下流側における球噛みが防止される。
【００２９】
また、球誘導溝３７の外側に該球誘導溝３７よりも高くかつ一個の遊技球が乗り得る幅の第１・第２段条部３９ａ，３９ｂを設けるようにしているので、両第１・第２段条部３９ａ，３９ｂに遊技球が乗ることにより球通口１９付近にある遊技球への球圧が前記と同様に軽減され、これによっても球噛み防止効果が得られる。
【００３０】
なお、本発明にあっては、開閉部材として前板６について説明したが、他に例えば前板が一体に成形された透明板保持枠についても本発明が適用できることは勿論である。
【図面の簡単な説明】
【００３１】
【図１】本発明に係るパチンコ遊技機の正面図。
【図２】同透明板保持枠及び前板を開いた状態の斜視図。
【図３】前板と球皿部とカバー部材とを分解して示す斜視図。
【図４】球皿部の斜視図。
【図５】前板に装着された上部の球受皿の平面図。
【図６】図５のＸ−Ｘ線断面図。
【図７】図５のＹ−Ｙ線断面図。
【図８】図５のＺ−Ｚ線断面図。
【図９】同作用を示す断面図。
【符号の説明】
【００３２】
５                      上部の球受皿
６                      開閉部材（前板）
１９                    球通口
２７ａ                  打球発射部
３１                    球皿部
３１ａ                  底壁
３７                    球誘導溝
３８                    庇板部
Ｐ                      遊技機（パチンコ遊技機）
【図１】
2008011986.tif 000003
【図２】
2008011986.tif 000004
【図３】
2008011986.tif 000005
【図４】
2008011986.tif 000006
【図５】
2008011986.tif 000007
【図６】
2008011986.tif 000008
【図７】
2008011986.tif 000009
【図８】
2008011986.tif 000010
【図９】
2008011986.tif 000011